(57)【要約】【課題】空気調和機の室内ユニットにおいて、フィルターに埃が堆積したり、熱交換器のフィンに露が著しく付着した場合、通風抵抗が上昇して生ずる断続的異常音（サージング）が端部以外で生じた場合に、それを低減すること。【解決手段】本発明におけるスタビライザは、吹出し部において、スタビライザ長手方向と並行に板状の突起を有することにより、送風性能を低下を抑制して、静圧を上昇させて、サージングを低減することができる。【選択図】  図３
2004271114.tif 000002
【特許請求の範囲】
【請求項１】
本体内にクロスフローファンと、スタビライザと、リアガイダと、熱交換器を備えた空気調和機にあって、前記スタビライザの吹出し部側に、前記スタビライザ長手方向と略並行に板状の突起を有することを特徴とする空気調和機。
【請求項２】
板状の突起の厚みが吹出し部の上流から下流にかけて漸次厚くなっていることを特徴とする請求項１記載の空気調和機。
【請求項３】
吹出し部の端部近傍に設置された板状の突起の厚みが端部付近で最大となり、吹出し部中央側に向かうにつれ、漸次薄くなっていることを特徴とする請求項１記載の空気調和機。
【請求項４】
板状の突起の厚みが、中央部分では一律で、突起の端部が漸次薄くなっていることを特徴とする請求項１〜３のいずれかに記載の空気調和機。
【発明の詳細な説明】
【０００１】
【産業上の利用分野】
本発明は、住宅などの空調に用いる空気調和機に関するもので、特に風回路に係わるものである。
【０００２】
【従来の技術】
図７に示すように、従来の空気調和機においては、多数の羽根９ａとこの羽根９ａを支持する端板９ｂからなる連を複数個軸方向に連結して構成されたクロスフローファン５を、ケーシングを構成するスタビライザ７とリアガイダ１０の間に配設し、スタビライザ７とリアガイダ１０とで空気の吹き出し口を形成し、送風回路を構成している。リアガイダ１０の少なくとも一方の端部には、前記クロスフローファン５近傍から前記吹出し口部までの間にブロック１１をもうけ、クロスフローファン５端部の吹出し速度を改善し、不安定空気流の発生や逆吸込みを防止、吹出し風向きを偏向した場合でも空気流の乱れを抑制する。また、フィルターに埃が堆積することにより通風抵抗が大きくなった時に生じる断続的異常音（サージング）を低減することができる（例えば、特許文献１参照）。
【０００３】
【特許文献１】
特開平５−８７０８７号公報
【０００４】
【発明が解決しようとする課題】
しかしながら、上述のように従来の構成では、ブロック１１の効果により、端部近傍に生じるサージングは低減することができるが、一方で、サージングが起こるのは端部からのみ生じるわけではなく、場合によっては端部から中央部分にかけて、若しくは、中央部分など様々である。端部以外からのサージングの場合、ブロック１１は非常に大きな通風抵抗となり、風量性能劣化につながるため、全体的に有効な対策とは言えない。
【０００５】
本発明は上記従来の課題を解決するもので、端部から中央部にかけて、もしくは中央部においても、送風性能の低下を少なく、サージングを抑えることのできる空気調和機を提供することを目的とする。
【０００６】
【課題を解決するための手段】
この目的を達成するために本発明の空気調和機は、本体内にクロスフローファンと、スタビライザと、リアガイダと、熱交換器を備え、前記スタビライザの吹出し部側に、前記スタビライザ長手方向と略並行に板状の突起を設けたものである。また、その板状の突起の厚みが吹出し部の上流から下流にかけて漸次厚くなっていることを特徴とする。さらには吹出し部の端部近傍に設置された板状の突起の厚みが端部付近で最大となり、吹出し部中央側に向かうにつれ、漸次薄くなっていることを特徴とする。さらには板状の突起の厚みが、中央部分では一律で、突起の端部が漸次薄くなっていることを特徴とする。
【０００７】
【発明の実施の形態】
以下本発明の一実施の形態、について、図面を参照しながら説明する。
【０００８】
（実施の形態１）
本発明の一実施の形態において、前述従来例について説明した構成部分と同じ部分については同一符号を付し、その説明を省略する。
【０００９】
図１に示すように、空気調和機の本体１は、台枠２とこの台枠２の前方に取り付けられた前面カバー３とからなり、台枠２および前面カバー３の上部には、吸い込みグリル４が設けられている。また、図２に示すように、クロスフローファン５の中心から見て全域を囲むように熱交換器６ａ、６ｂ、６ｃが配設されている。
【００１０】
図３は本発明第１の実施の形態におけるスタビライザの斜視図であり、スタビライザ７ａは、サージングの生じている部分において、その長手方向と略並行に板状の突起８ａを有している。
【００１１】
この形状によりスタビライザ７ａにおいて、突起８ａを有する部分においては静圧が増加し、通風抵抗が増加したことにより発生するサージングの低減の効果を得る。
【００１２】
（実施の形態２）
本発明の第２の実施の形態は、図４に示すようにスタビライザ７ａにおいて、突起８ｂの厚みを吹出し部の上流から下流にかけて連続的若しくは、断続的に漸次厚くしたものである。
【００１３】
この厚みを変化させた形状により、板厚の変化がない場合に比べ、通風抵抗は増すが、一方で、静圧を増加させることができ、通風抵抗が増加したことにより発生するサージングの低減の効果を得ることができる。また、連続的に漸次厚くすることにより、変動成分を大きくすることなく、騒音上昇を抑制することができる。
【００１４】
（実施の形態３）
本発明の第３の実施の形態は、図５に示すようにスタビライザ７ａにおいて、特に突起８ｃを端部に設置した場合、その厚みを端部より中央部分にかけて連続的若しくは、断続的に漸次薄くしたものである。
【００１５】
この厚みを変化させた形状により、端部の影響で端部から中央部分にかけてサージングが生じている場合に、端部からの距離に応じて、端部の影響が小さくなるという特徴に従い、最小限の送風性能低下で通風抵抗が増加したことにより発生するサージングを低減することができる。
【００１６】
（実施の形態４）
本発明の第４の実施の形態は、図６に示すようにスタビライザ７ａにおいて、突起８ｄの中央部分では一律の厚みで、突起８ｄの端部で連続的若しくは、断続的に漸次薄くしているものである。
【００１７】
この厚みを変化させた形状により、突起８ｄ周辺における風の流れをよりスムーズにすることができ、騒音の上昇を減らすことができる。
【００１８】
上記実施の形態は、分離型空気調和機の室内ユニットについて説明したが、一体型空気調和機であっても効果は同じである。また、突起はスタビライザーと一体に樹脂成形しても良いし、別体として取りつけてもかまわない。
【００１９】
【発明の効果】
以上の説明からも明らかなように、本発明によれば送風性能の低下を少なくしつつ、サージングを低減することで騒音上昇を抑制することができる。
【図面の簡単な説明】
【図１】本発明の実施の形態１の空気調和機の室内ユニットの外観斜視図
【図２】同空気調和機の室内ユニットの断面略図
【図３】同空気調和機のスタビライザの斜視図
【図４】本発明の実施の形態２の空気調和機のスタビライザの斜視図
【図５】本発明の実施の形態３の空気調和機のスタビライザの斜視図
【図６】本発明の実施の形態４の空気調和機のスタビライザの斜視図
【図７】従来の空気調和機の要部断面斜視図
【符号の説明】
５  クロスフローファン
７、７ａ  スタビライザ
８ａ、８ｂ、８ｃ、８ｄ  突起
１０  リアガイダ
【図１】
2004271114.tif 000003
【図２】
2004271114.tif 000004
【図３】
2004271114.tif 000005
【図４】
2004271114.tif 000006
【図５】
2004271114.tif 000007
【図６】
2004271114.tif 000008
【図７】
2004271114.tif 000009